(57)【要約】      （修正有）【課題】浮力を十分に出し、避難が安全に出来る様な形と大きさにして浮力・加重に耐えられる安全で強いトランク型式津波救命用折たたみイカダを提供する。【解決手段】長方形箱型状の構造物であるケース１の内部に発砲スチロールを納めて、ケース上部に取り付けたパッキンの上部にケース蓋３をのせ、ビスを使用して取付け固定し、ケースとケース蓋とを一体化し、かつ、ケース２の内部にも発泡スチロールを収めて、ケース上部に取り付けたパッキンの上部にケース蓋４をのせ、ビスを使用して取付け固定し、ケースとケース蓋とを一体化し、これら２つの一体化構造物の底部外板を、蝶番で連結して固定一体化する。【選択図】図１０
0003207805.tif 000002
【実用新案登録請求の範囲】
【請求項１】
長方形箱形のケースＡ（１）などにフランジＡ（７）を有してケースＡ（１）内部に発泡スチロールＡ（５）を入れフランジＡ（７）にパッキンＡ（４５）を取付けて、ケース蓋Ａ（３）を取付け、ビス（１７）よりビス（２８）までの１２本をもって固定、一体化にしての構造のイカダ材
【請求項２】
長方形箱形のケースＡ（１）フランジＡ（７）発泡スチロールＡ（５）パッキンＡ（４５）ケース蓋Ａ（３）ビス（１７）よりビス（２８）までの１２本をもって固定一体化のイカダ材２個をもって蝶番（９）（１０）（１１）と蝶番（１２）（１３）（１４）などをもちえて連結し、イカダ状にして使用するものであるが収納時においては２つに折たたみが出来て収納しやすい
トランク型式  津波救命用折たたみイカダである。
【考案の詳細な説明】
【技術分野】
【０００１】大地震により起きる大津波より身を守る為の救命用イカダです。
【背景技術】
【０００２】東日本震災、津波ＴＶ映像を拝見しての事です。
イカダは一般的に木材や竹材を横に並べて縄などでつなぎ、水に浮べたもので、木材の運搬法としてまたは、舟の代用として用いる乗り物でありますが本考案は、立地上において、避難するに困難な地にお住いの方々や体の不自由な方々のために他のイカダ材及び別型式のものでありますがトランク型式津波  救命用折たたみイカダを考案致しました。
【先行技術文献】
【特許文献】
【０００３】トランク型式  津波救命用折たたみイカダは有りません。
【考案の概要】
【考案が解決しようとする課題】
【０００４】イカダ本体を取扱い易くすることと、浮力が十分に有り安全に利用出来る様にケースＡ（１）ケースＢ（２）及び発泡スチロールＡ（５）発泡スチロールＢ（６）などを使用して本体の軽量化行い、利用しない時には折たたんで、コンパクトにして収納して置きます。
【課題を解決するための手段】
【０００５】イカダ本体の重量を軽量にするためにケースＡ（１）をアルミ合金材、内部に発泡スチロールＡ（５）を納めて、ケース蓋Ａ（３）を乗せて、ビス（１７）からビス（２８）を、用いて固定する。
以上のものを２個連結してイカダ本体の構成と成ります。
【考案の効果】
【０００６】圧縮空気を必要とせず及び空気圧補充することも必要としない。イカダ材に発泡スチロールＡ（５）発泡スチロールＢ（６）をケースＡ（１）ケースＢ（２）の内部に納める事により万一ケースＡ（１）ケースＢ（２）の一部が破損しても浮力が低下して、沈む様なことはない。
また舟の様に水が入り又は横波などの水で沈む様な事も有りません。
真夜中に津波警報の発令があった場合、避難出来る様なビルがあっても、シャッターが閉じて有り避難場所がない時にこのイカダが役立ます。
【図面の簡単な説明】
【０００７】
【図１】上部の平面図
【図２】下部の平面図
【図３】正面の図
【図４】側面の図
【図５】正面の断面図
【図６】側面の断面図
【図７】手摺構成の明細図
【図８】折たたみ時の正面図
【図９】折たたみ時の側面図
【図１０】利用時の略斜視図
【考案を実施するための形態】
【０００８】トランク型式  津波救命用折たたみイカダはケースＡ（１）ケースＢ（２）を蝶番（９）（１０）（１１）で連結して、ケース蓋Ａ（３）ケース蓋Ｂ（４）を蝶番（１２）（１３）（１４）とで連結してイカダ状、正方形にして使用する。
【実施例】
【０００９】長方形箱形のケースＡ（１）とケースＢ（２）を蝶番（９）（１０）（１１）とで連結してイカダにします。
トランク型式  津波救命用折たたみイカダを津波警報が発令された時に収納場所より運び出して、使用出来る状態にします。
まず収納場所より組立使用開始の場所に運び出し、上部であるケース蓋Ａ（３）ケース蓋Ｂ（４）を上にするために開止め蝶番（６２）（６３）をはずし開きます。
開き終っならケース蓋Ａ（３）とケース蓋Ｂ（４）に取付けてある蝶番（１２）（１３）（１４）で連結固定します。
さらにケース蓋Ａ（３）にある手摺（１５）を上方向に引出しピン孔（５２）（５４）にピン（５９）を差込んでから割ピン（６０）をピン（５２）（５４）がぬけない様にする。
同様にケース蓋Ａ（３）ケース蓋Ｂ（４）で行えばトランク型式  津波救命用折たたみイカダを使用出来ます。
まず津波の１番波にのる事が大切ですが１番波２番波などの時に家屋内に居たのではトランク型式  津波救命用折たたみイカダがあっても役に立たず助かりません。
【産業上の利用可能性】
【００１０】トランク型式  津波救命用折たたみイカダを製造に至れば資材流通にも少しは役立ちます。
【符号の説明】
【００１１】
0003207805.tif 000003
【図１】
0003207805.tif 000004
【図２】
0003207805.tif 000005
【図３】
0003207805.tif 000006
【図４】
0003207805.tif 000007
【図５】
0003207805.tif 000008
【図６】
0003207805.tif 000009
【図７】
0003207805.tif 000010
【図８】
0003207805.tif 000011
【図９】
0003207805.tif 000012
【図１０】
0003207805.tif 000013
【手続補正書】
【提出日】平成28年7月4日(2016.7.4)
【手続補正１】
【補正対象書類名】実用新案登録請求の範囲
【補正対象項目名】全文
【補正方法】変更
【補正の内容】
【実用新案登録請求の範囲】
【請求項１】
長方形、箱型状の構造物
ケースＡ（１）の内部に発砲スチロールＡ（５）を納めて、パッキン（４５）の上部にケース蓋Ａ（３）をのせ、ビス（１７）〜（２８）を使用、取付け、固定し、一体化する
かつ、ケースＢ（２）の内部に発砲スチロールＢ（６）を納めて、パッキン（４６）の上部にケース蓋Ｂ（４）をのせ、ビス（２９）〜（４０）を使用、取付け、固定し、一体化する
ケースＡ（１）ケースＢ（２）が各、一体化している構造物を、ケースＡ（１）とケースＢ（２）の底部外板とを、蝶番（９）（１０）（１１）をもって連結、固定、一体化された
トランク型式津波救命用折たたみイカダ。
【請求項２】
ケースＡ（１）ケースＢ（２）の底部外板とを、蝶番（９）（１０）（１１）をもって連結、固定、一体化されイカダとしての役割を有して、さらに、ケース蓋Ａ（３）とケース蓋Ｂ（４）とを蝶番（１２）（１３）（１４）とで連結、固定、一体化され、使用される
トランク型式津波救命用折たたみイカダ
請求項１に記載のイカダ材。
【手続補正書】
【提出日】平成28年9月7日(2016.9.7)
【手続補正１】
【補正対象書類名】実用新案登録請求の範囲
【補正対象項目名】全文
【補正方法】変更
【補正の内容】
【実用新案登録請求の範囲】
【請求項１】
長方形箱型状の構造物であるケースＡ（１）の内部に発砲スチロールＡ（５）を納めて、ケースＡ（１）上部に取り付けたパッキン（４５）の上部にケース蓋Ａ（３）をのせ、ビス（１７）〜（２８）を使用、取付け、固定し、ケースＡ（１）とケース蓋Ａ（３）とを一体化し、かつ、ケースＢ（２）の内部に発泡スチロールＢ（６）を収めて、ケースＢ（２）上部に取り付けたパッキン（４６）の上部にケース蓋Ｂ（４）をのせ、ビス（２９）〜（４０）を使用、取付け、固定し、ケースＢ（２）とケース蓋Ｂ（４）とを一体化し、ケースＡ（１）ケースＢ（２）が各、一体化している構造物を、ケースＡ（１）とケースＢ（２）の底部外板とを、蝶番（９）（１０）（１１）をもって連結、固定、一体化されたトランク型式津波救助用折りたたみイカダ。
【請求項２】
ケースＡ（１）ケースＢ（２）の底部外板とを、蝶番（９）（１０）（１１）をもって連結、固定、一体化されイカダとしての役割を有して、さらに、ケース蓋Ａ（３）とケース蓋Ｂ（４）とを蝶番（１２）（１３）（１４）とで連結、固定、一体化され、使用される、請求項１に記載のトランク型式津波救命用折りたたみイカダ。